(57)【特許請求の範囲】
【請求項１】
カップホルダに装着された状態において前記カップホルダの突起部により側面を外側から押されて保持される第１の部分と、前記第１の部分より底側に、底を平面視した場合の外縁の形状が非円形である第２の部分と
を備えるインサートカップ。
【請求項２】
底を平面視した場合の前記第２の部分の外縁のうち内側に位置する部分に、外側に位置する部分より剛性が高い部分を有する
請求項１に記載のインサートカップ。
【請求項３】
底を平面視した場合の前記第２の部分の外縁のうち内側に位置する部分に、外側に位置する部分より曲率が大きい部分を有する
請求項１又は２に記載のインサートカップ。
【請求項４】
底を平面視した場合の前記第２の部分の外縁が、前記第１の部分の外縁よりも内側に位置する
請求項１乃至３のいずれか１項に記載のインサートカップ。
【請求項５】
底を平面視した場合の前記第１の部分の外縁の形状が円の一部を内側に凹ませた形状である
請求項１乃至４のいずれか１項に記載のインサートカップ。
【請求項６】
前記第２の部分より底側に、底を平面視した場合の外縁の形状が非円形である第３の部分を備える
請求項１乃至５のいずれか１項に記載のインサートカップ。
【発明の詳細な説明】
【技術分野】
【０００１】
本発明はインサートカップに関する。
【背景技術】
【０００２】
オフィス等において、コーヒー等の飲料用の容器として、カップホルダにインサートカップと呼ばれるコップを装着したものが普及している。
【０００３】
例えば、特許文献１には、カップホルダに装着されて使用される使い捨てのインサートカップを嵩張ることなく破棄できるようにするダストボックスが記載されている。
【先行技術文献】
【特許文献】
【０００４】
【特許文献１】特開平７−２４７００２号公報
【発明の概要】
【発明が解決しようとする課題】
【０００５】
カップホルダは繰り返し使用され、インサートカップは使い捨てられることが想定されている。使用後のインサートカップは、通常、破棄する人（以下、利用者という）がカップホルダを手で持った状態で、カップホルダの底部側に突出するインサートカップの底部を指先で押すことにより、カップホルダから取り外される。このようにすることにより、インサートカップの飲み口に手を触れずに取り外すことができる。
【０００６】
使い捨てられるインサートカップは、コスト低減のために、可能な限り薄く製造されることが求められる。そのため、インサートカップをカップホルダから取り外す際、カップホルダがインサートカップをしっかりとホールドしていると、利用者の指先で押されたインサートカップの底部が変形し、カップホルダからインサートカップが外れにくい場合がある。
【０００７】
インサートカップの板厚を厚くし、インサートカップの剛性を高めると、上記の問題は軽減される。ただし、板厚を厚くすると１個当たりのインサートカップの製造コストが増加する。
【０００８】
本発明は、上記の事情に鑑み、従来技術に係るインサートカップと比較し、カップホルダから容易に取り外せるインサートカップを提供することを目的とする。
【課題を解決するための手段】
【０００９】
本発明は、カップホルダに装着された状態において前記カップホルダの突起部により側面を外側から押されて保持される第１の部分と、前記第１の部分より底側に、底を平面視した場合の外縁の形状が非円形である第２の部分とを備えるインサートカップを第１の態様として提案する。
【００１０】
第１の態様に係るインサートカップによれば、従来技術に係るインサートカップと比較し、底部の剛性の高い部分が底を平面視した場合の内側に位置するため、利用者はカップホルダからインサートカップを取り外し易い。
【００１１】
第１の態様に係るインサートカップにおいて、底を平面視した場合の前記第２の部分の外縁のうち内側に位置する部分に、外側に位置する部分より剛性が高い部分を有する、という構成が第２の態様として採用されてもよい。
【００１２】
第１又は第２の態様に係るインサートカップにおいて、底を平面視した場合の前記第２の部分の外縁のうち内側に位置する部分に、外側に位置する部分より曲率が大きい部分を有する、という構成が第３の態様として採用されてもよい。
【００１３】
第２又は第３の態様に係るインサートカップによれば、底を平面視した場合の第２の部分の外縁のうち内側に位置する部分がより高い剛性を有するため、利用者はカップホルダからインサートカップをより取り外し易い。
【００１４】
第１乃至第３のいずれかの態様に係るインサートカップにおいて、底を平面視した場合の前記第２の部分の外縁が、前記第１の部分の外縁よりも内側に位置する、という構成が第４の態様として採用されてもよい。
【００１５】
第４の態様に係るインサートカップによれば、第２の部分が第１の部分よりも底を平面視した場合の内側に位置しないインサートカップと比較し、利用者が底部を押し易い。
【００１６】
第１乃至第４のいずれかの態様に係るインサートカップにおいて、底を平面視した場合の前記第１の部分の外縁の形状が円の一部を内側に凹ませた形状である、という構成が第５の態様として採用されてもよい。
【００１７】
第５の態様に係るインサートカップによれば、底を平面視した場合の前記第１の部分の外縁の形状が円である場合と比較し、底部の剛性が高くなるため、利用者はカップホルダからインサートカップを取り外し易い。
【００１８】
第１乃至第５のいずれかの態様に係るインサートカップにおいて、前記第２の部分より底側に、底を平面視した場合の外縁の形状が非円形である第３の部分を備える、という構成が第６の態様として採用されてもよい。
【００１９】
第６の態様に係るインサートカップによれば、第３の部分を備えない場合と比較し、底部の剛性が高くなるため、利用者はカップホルダからインサートカップを取り外し易い。
【図面の簡単な説明】
【００２０】
【図１】一実施形態に係るインサートカップの斜視図。
【図２】一実施形態に係るインサートカップの底面図。
【図３】一実施形態に係るカップホルダの斜視図。
【図４】一実施形態に係るカップホルダの底面図。
【図５】一実施形態に係るカップホルダとカップホルダに装着されたインサートカップの縦断面図。
【図６】一実施形態に係るカップホルダとカップホルダに装着されたインサートカップの底面図。
【図７】従来技術に係るインサートカップとインサートカップが装着されたカップホルダの底面図。
【図８】一変形例に係るインサートカップの被押圧部の外縁の形状を例示した図。
【図９】一変形例に係るインサートカップの形状を示した図。
【発明を実施するための形態】
【００２１】
［実施形態］
以下に本発明の一実施形態に係るインサートカップ１を説明する。図１は、インサートカップ１の斜視図である。インサートカップ１はプラスチック製の有底の容器である。
【００２２】
インサートカップ１は、胴部１１と、被保持部１２（第１の部分の一例）と、被押圧部１３（第２の部分の一例）を有する。
【００２３】
胴部１１は、飲料を収容する役割を果たす部分である。
【００２４】
被保持部１２は、後述のカップホルダ２にインサートカップ１が装着されたときに、カップホルダ２が有する複数の突起部２４により保持される部分である。
【００２５】
被押圧部１３は、利用者がカップホルダ２に装着されているインサートカップ１をカップホルダ２から取り外す際に、利用者により指先で押圧される部分である。
【００２６】
なお、被保持部１２及び被押圧部１３も中空であり、それらの内側空間は胴部１１の内側空間と連続しているため、被保持部１２及び被押圧部１３にもごく少量であるが飲料の一部が収容される。
【００２７】
図２は、インサートカップ１の底を平面視した図（底面図）である。図２に示されるように、被保持部１２は、インサートカップ１の底を平面視した場合の外縁の形状が円である。
【００２８】
一方、被押圧部１３は、インサートカップ１の底を平面視した場合の外縁の形状が非円形であり、より具体的には、円の一部を内側に凹ませた形状である。
【００２９】
本願において、インサートカップ１の底を平面視した場合における「内側」とは、インサートカップ１を図１に示すように開口側が上となるように配置した状態で、円形の開口の中心点を通る鉛直方向の直線（以下、中心線という）に近い側を意味する。
【００３０】
図３は、インサートカップ１を保持するために用いられるカップホルダ２の斜視図である。また、図４は、カップホルダ２を底側から見た図（底面図）である。カップホルダ２はプラスチックでできており、胴部２１と、基部２２と、取手２３と、複数の突起部２４を有する。
【００３１】
胴部２１は全体として円筒形状の部分であり、上側と下側に開口を有する。なお、カップホルダ２の上側とは基部２２と反対側（図３における上側）を意味し、カップホルダ２の下側とは基部２２側（図３における下側）を意味する。胴部２１はインサートカップ１の胴部１１を外側から覆う役割を果たす部分である。
【００３２】
基部２２は、カップホルダ２が机等の上に置かれた際に机等に接し、カップホルダ２及びカップホルダ２に装着されたインサートカップ１を机等の上に安置させる役割を果たす。基部２２は中空であり、上側と下側に開口を有する。基部２２の上側の開口は、胴部１１の下側の開口と連続している。
【００３３】
取手２３は、飲料を飲む人等がカップホルダ２を掴む部分である。
【００３４】
突起部２４は複数あり、胴部２１と基部２２が接する部分の内側面から内側に向かい突起し、カップホルダ２に装着されるインサートカップ１の被保持部１２を外側から保持する役割を果たす。複数の突起部２４は、水平面上の円周上に等角度間隔で配置されている。なお、図４の例では突起部２４の数は８つであるが、突起部２４の数は８つに限られない。
【００３５】
図５は、カップホルダ２とカップホルダ２に装着されたインサートカップ１の縦断面図である。また、図６は、カップホルダ２とカップホルダ２に装着されたインサートカップ１を底側から見た図（底面図）である。利用者は、カップホルダ２を保持した状態で、図６に破線の丸で示した部分をカップホルダ２の上側に押すことで、インサートカップ１をカップホルダ２から取り外すことができる。
【００３６】
図７は、従来技術に係るインサートカップ９とインサートカップ９が装着されたカップホルダ２を底側から見た図（底面図）である。従来技術に係るインサートカップ９は、底を平面視した場合の被押圧部９３の外縁の形状が円である。被押圧部９３の中央部分は外縁部分より剛性が低いため、インサートカップ９がカップホルダ２に強く保持されている場合、利用者が被押圧部９３の中央部分を指先で押すとその部分が変形し、カップホルダ２からインサートカップ９が外れにくい、という問題がある。一方、利用者は剛性の高い被押圧部９３の外縁部分（例えば、図７に破線の丸で示した部分）を押すことで、インサートカップ９をカップホルダ２から容易に取り外すことができる。ただし、被押圧部９３の外縁部分は、カップホルダ２の基部２２に近いため、利用者の指先が基部２２に当たり、被押圧部９３の外縁部分を押しにくい、という問題がある。
【００３７】
これに対し、インサートカップ１の被押圧部１３の外縁部分は、その一部（図６に破線の丸で示した部分）が底を平面視した場合の内側に位置しているため、利用者がその外縁部分を押す際に、指先がカップホルダ２の基部２２に当たりにくく、容易にインサートカップ１をカップホルダ２から取り外すことができる。特に、図６に破線の丸で示した部分は、円周状の部分と比べて曲率が大きく、剛性が高くなっており、取り外しがより容易になっている。このように、本発明においては、第２の部分の外縁の形状の剛性が、周方向によって変化するのが好ましく、内側に位置する部分に、それ以外の部分より剛性が高い部分があることがより好ましい。
【００３８】
［変形例］
上述したインサートカップ１は本発明の技術的思想の範囲内で様々に変形されてよい。以下に変形の例を示す。以下の変形例の２以上が適宜、組み合わされてもよい。
【００３９】
（１）インサートカップ１の底を平面視した場合の被押圧部１３の外縁の形状は、非円形である限り、図２に示した形状に限られない。図８は、被押圧部１３の外縁の形状の他の例を示した図である。
【００４０】
図８（Ａ）に例示の被押圧部１３の外縁の形状は、２箇所において円より内側に凹んだ部分を有する。このように、被押圧部１３の外縁の形状は、１箇所において円より内側に凹んだ部分を有する形状に限られず、複数箇所において円より内側に凹んだ部分を有する形状であってもよい。図８（Ａ）に例示の被押圧部１３の外縁の形状では、破線の丸で示した部分に円周状の部分と比べて曲率が大きい部分があり、その部分の剛性が特に高くなっている。
【００４１】
図８（Ｂ）に例示の被押圧部１３の外縁の形状は、円より内側に凹んだ部分の形状が、外側に凸の形状である。本願において「円の一部を内側に凹ませた形状」とは、円の一部を構成する部分（図８（Ｂ）の例では破線矢印Ａで示す部分）と、その円より内側に位置する部分（図８（Ｂ）の例では破線矢印Ｂで示す部分）とで構成される形状を意味し、必ずしも内側に凸の形状でなくてもよい。
【００４２】
図８（Ｃ）に例示の被押圧部１３の外縁の形状は、円より内側に凹んだ部分の形状が途中で屈曲した直線で構成されている。図８（Ｃ）に例示の被押圧部１３の外縁の形状では、破線の丸で示した部分に円周状の部分と比べて曲率が大きい部分があり、その部分の剛性が特に高くなっている。
【００４３】
上述した実施形態において採用されている被押圧部１３の外縁の形状（図２参照）や図８（Ａ）〜（Ｃ）に例示の被押圧部１３の外縁の形状は、円の一部を内側に凹ませた形状 である。すなわち、外縁の一部に円弧が含まれる。これに対し、図８（Ｄ）〜（Ｆ）に例示されるように、被押圧部１３の外縁の形状が、円弧を含まない非円形の形状であってもよい。
【００４４】
なお、図８において、破線の丸で示した部分が、カップホルダ２からインサートカップ１が取り外される際に、利用者により押圧される部分である。
【００４５】
（２）本発明に係るインサートカップの胴部及び被保持部の形状は上述した実施形態に係るインサートカップ１の胴部１１及び被保持部１２の形状に限られない。
【００４６】
図９は、胴部及び被保持部の形状がインサートカップ１の胴部１１及び被保持部１２の形状と異なるインサートカップの一例であるインサートカップ３を示した図である。図９（Ａ）はインサートカップ３の斜視図、図９（Ｂ）はインサートカップ３の正面図、図９（Ｃ）はインサートカップ３の底面図である。
【００４７】
インサートカップ３は、インサートカップ１の胴部１１、被保持部１２、被押圧部１３に対応する部分として、胴部３１、被保持部３２、被押圧部３３を備える。また、インサートカップ３は、被押圧部３３より底側に配置された強化部３４（第３の部分の一例）を備える。強化部３４は被押圧部３３の剛性を高める役割を果たす部分である。
【００４８】
強化部３４は、底を平面視した場合の外縁が、被押圧部３３の外縁よりも内側に位置している。そのため、被押圧部３３と強化部３４の間に段差が生じ、その段差が被押圧部３３の剛性を高める。
【００４９】
強化部３４は中空であり、強化部３４の内側空間は、被押圧部３３の内側空間と連続している。なお、インサートカップ１においては被押圧部１３が底を構成しているが、インサートカップ３においては強化部３４が底を構成している。
【００５０】
インサートカップ３が有する胴部２１は、上の方においては横断面の形状が桜の花びらのような形状であり、下の方においては横断面の形状がハートマークのような形状である。これらの形状も一例であって、例えば、桜の花びらのような形状に代えて、三つ葉や四つ葉のクローバーの形状等が採用されてもよい。
【００５１】
インサートカップ３が有する被保持部３２、被押圧部３３、及び、強化部３４は、底を平面視した場合の外縁の形状が、いずれも、円の一部を内側に凹ませた形状である。
【００５２】
図９の例のように、本発明に係るインサートカップは、胴部又は被保持部の横断面の形状が非円形であってもよい。ただし、底を平面視した場合の被保持部の外縁の形状は、カップホルダの突起部により保持されるために、少なくとも一部に円弧を有する形状、すなわち、円又は円の一部を内側に凹ませた形状とするのが好ましい。
【００５３】
また、図９の例のように、本発明に係るインサートカップが、被押圧部より底側に、底を平面視した場合の外縁の形状が非円形である強化部を備えてもよい。
【００５４】
（３）上述した実施形態に係るインサートカップ１が備える被押圧部１３は、底を平面視した場合の外縁が、被保持部１２の外縁より内側に位置している。そのため、被保持部１２と被押圧部１３の間に段差が生じ、その段差によって被保持部１２の剛性が高められている。この段差がなくても被保持部１２の剛性がカップホルダ２の突起部２４に保持されるために十分であれば、底を平面視した場合の被保持部１２の外縁と被押圧部１３の外縁が一致していてもよい。
【符号の説明】
【００５５】
１…インサートカップ、２…カップホルダ、３…インサートカップ、９…インサートカップ、１１…胴部、１２…被保持部、１３…被押圧部、２１…胴部、２２…基部、２３…取手、２４…突起部、３１…胴部、３２…被保持部、３３…被押圧部、３４…強化部、９３…被押圧部。
【要約】
【課題】カップホルダから容易に取り外せるインサートカップを提供する。
【解決手段】インサートカップ１は、飲料を収容する役割を果たす胴部と、胴部の下側に配置されている被保持部１２と、被保持部１２より下側に配置されている被押圧部１３を備える。被保持部１２は、カップホルダ２の突起部２４により保持される部分である。被押圧部１３は、カップホルダ２に装着されたインサートカップ１をカップホルダ２から取り外す際に、利用者の指先で押される部分である。被押圧部１３は、底から平面視した場合の外縁の形状が非円形である。利用者は、剛性の高い被押圧部１３の外縁部分のうち内側に位置している部分を押すことにより、インサートカップ１がカップホルダ２に強く保持されていても、指先をカップホルダ２の基部２２にぶつけることなく、カップホルダ２からインサートカップ１を容易に取り外すことができる。
【選択図】図６【図１】
0006856291.tif 000002
【図２】
0006856291.tif 000003
【図３】
0006856291.tif 000004
【図４】
0006856291.tif 000005
【図５】
0006856291.tif 000006
【図６】
0006856291.tif 000007
【図７】
0006856291.tif 000008
【図８】
0006856291.tif 000009
【図９】
0006856291.tif 000010